(57)【特許請求の範囲】
【請求項１】
配線板状部材が差し込まれる板状部材差込み部が設けられるとともに、該板状部材差込み部を形成する部分に各々が配線板状部材の差込み方向に沿って伸びる複数の溝が上記差込み方向に直交する方向に配列配置されて設けられた絶縁ハウジングと、
上記複数の溝により支持されて上記絶縁ハウジングに配列配置され、上記板状部材差込み部を通じて上記絶縁ハウジング内に差し込まれた配線板状部材に配列配置された複数の接続端子部に接触接続される複数のコンタクトと、
上記絶縁ハウジングにおける上記複数の溝の配列方向の両端部に夫々配されて上記絶縁ハウジングを補強する一対の補強部材と、
を備えて構成され、
上記補強部材が、上記溝に差し込まれる差込み片部と上記絶縁ハウジングの外面部を抑える抑え部とを有し、上記差込み片部が上記溝に差し込まれて該溝により保持されることにより上記絶縁ハウジングに取り付けられることを特徴とするコネクタ装置。
【請求項２】
上記複数のコンタクトにより支持されて上記絶縁ハウジングに対して回動可能に設けられ、第１の静止位置と第２の静止位置とを選択的にとり、配線板状部材が上記板状部材差込み部を通じて上記絶縁ハウジング内に差し込まれたもとで、上記第１の静止位置から上記第２の静止位置に移行するとき、上記複数のコンタクトの夫々に上記複数の接続端子部のうちの対応するものに対する押圧接触状態をとらせ、上記第２の静止位置から上記第１の静止位置に移行するとき、上記複数のコンタクトの夫々を上記複数の接続端子部のうちの対応するものに対する押圧接触状態から解放するアクチュエータを備えることを特徴とする請求項１記載のコネクタ装置。
【請求項３】
上記補強部材が有する上記抑え部が、上記絶縁ハウジングが固定されるべき基板に固定されて上記絶縁ハウジングの上記基板への固定に供される役割も果たすことを特徴とする請求項１又は２記載のコネクタ装置。
【請求項４】
上記補強部材が、上記差込み片部と上記抑え部とを連結する連結部を有することを特徴とする請求項１から３までのいずれかに記載のコネクタ装置。
【請求項５】
上記補強部材が、板状部材により全体が一体的に形成されたものとされることを特徴とする請求項１から３までのいずれかに記載のコネクタ装置。
【請求項６】
配線板状部材が差し込まれる板状部材差込み部が設けられるとともに、該板状部材差込み部を形成する部分に各々が配線板状部材の差込み方向に沿って伸びる複数の溝が上記差込み方向に直交する方向に配列配置されて設けられた絶縁ハウジングに、各々が上記溝に差し込まれる差込み片部と上記絶縁ハウジングの外面部を抑える抑え部とを有した複数の補強部材を、夫々の上記差込み片部を上記溝に差し込んで該溝により保持される状態として取り付け、
その後、上記絶縁ハウジングを切断して、該切断により得られる小規模絶縁ハウジングを、該小規模絶縁ハウジングにおける上記複数の溝の配列方向の両端部に上記補強部材のうちの一対が夫々配されて、該一対の補強部材により補強されたものとなし、
さらにその後、上記小規模絶縁ハウジングにおける上記複数の溝のうちの上記補強部材を保持していないものに複数のコンタクトを夫々配し、該複数のコンタクトを、上記溝により支持されて上記小規模絶縁ハウジングに配列配置され、上記板状部材差込み部を通じて上記絶縁ハウジング内に差し込まれた配線板状部材に配列配置された複数の接続端子部に接触接続されるものとなしてコネクタ装置を得ることを特徴とするコネクタ装置の製造方法。
【請求項７】
配線板状部材が差し込まれる板状部材差込み部が設けられるとともに、該板状部材差込み部を形成する部分に各々が配線板状部材の差込み方向に沿って伸びる複数の溝が上記差込み方向に直交する方向に配列配置されて設けられた絶縁ハウジングに、各々が上記溝に差し込まれる差込み片部と上記絶縁ハウジングの外面部を抑える抑え部とを有した複数の補強部材を、夫々の上記差込み片部を上記溝に差し込んで該溝により保持される状態として取り付け、
その後、複数のコンタクトを、上記複数の溝のうちの上記補強部材を保持していないものに配して、該溝により支持されて上記絶縁ハウジングに配列配置されるものとなし、
さらにその後、上記絶縁ハウジングを切断して、該切断により得られる小規模絶縁ハウジングを、該小規模絶縁ハウジングにおける上記複数の溝の配列方向の両端部に挟まれた部分に上記複数のコンタクトの一部が配されるとともに、上記両端部に上記補強部材のうちの一対が夫々配されて該一対の補強部材により補強されたものとなし、上記複数のコンタクトの一部を上記板状部材差込み部を通じて上記絶縁ハウジング内に差し込まれた配線板状部材に配列配置された複数の接続端子部に接触接続されるものとしてコネクタ装置を得ることを特徴とするコネクタ装置の製造方法。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接続端子部を、主配線基板等とされる他の電気部品に電気的に接続された状態とするため、他の電気部品に接続されたもとで配線板状部材の接続端子部に押圧接触するコンタクトを備えたコネクタ装置及びその製造方法に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固着されたコネクタ装置が用いられて行われることが多いものとされる。このような配線板状部材の主配線基板への取付けにあたって用いられるコネクタ装置は、主配線基板に設けられた配線部に接続されたもとで配線板状部材の接続端子部に接触する導電性のコンタクトを有していて、そのコンタクトを介して、配線板状部材の接続端子部を主配線基板の配線部に電気的に接続する。
【０００３】
従来提案されている、例えば、フレキシブル印刷配線基板とされる配線板状部材の主配線基板への取付けに用いられるコネクタ装置は、配線板状部材が差し込まれる板状部材差込み部が設けられた絶縁ハウジングを有したものとされる。そして、斯かるコネクタ装置には、その絶縁ハウジングに配列配置されて設けられ、配線板状部材が板状部材差込み部を通じて絶縁ハウジングに差し込まれるとき、その配線板状部材に設けられた複数の接続端子部に夫々対応するものとなる複数のコンタクトが備えられる。
【０００４】
従って、必要とされる複数のコンタクトの個数は、絶縁ハウジングに板状部材差込み部を通じて差し込まれる配線板状部材の複数の接続端子部の個数に応じたものとなる。そして、絶縁ハウジングにおける複数のコンタクトの配列方向（通常、長手方向となる）の寸法が、複数のコンタクトの個数に応じて定められる。
【０００５】
このようなもとで、絶縁ハウジングに板状部材差込み部を通じて差し込まれる配線板状部材は、その目的に従って、様々な個数の接続端子部を有したものとされ、それに応じて、絶縁ハウジングに複数のコンタクトが様々な個数をもって配列配置されたコネクタ装置が必要とされる。即ち、基本的な構成を共通にするも、絶縁ハウジングに配列配置されるコンタクトの個数を異にし、例えば、絶縁ハウジングの長手方向の寸法を異にする複数種のコネクタ装置が要求されているのである。換言すれば、基本的な構成を共通にするもとで絶縁ハウジングに配列配置されるコンタクトの個数を所定数とするコネクタ装置及び所定数より多数または少数とするコネクタ装置のいずれもが、その絶縁ハウジングに板状部材差込み部を通じて差し込まれるべき配線板状部材に応じて提供されることが望まれているのである。
【０００６】
それゆえ、従来にあっては、絶縁ハウジングに所定数のコンタクトが配列配置されるものとして一旦組み立てた後、分解して絶縁ハウジングを短縮し、再度組み立てることにより、所定数より少数のコンタクトが絶縁ハウジングに配列配置される小型化が図られたものとすることができるコネクタ装置が提案されている（例えば、特許文献１参照。）。
【０００７】
特許文献１に示されるコネクタ装置は、各々にコンタクト（接点部材）が配される所定数の接点凹部(3) が配列形成された絶縁ハウジング（本体部分(1) ）と、絶縁ハウジングにおける接点凹部の配列方向（長手方向）の両端部に機械的に組み付けられて、配線基板 (回路板）への取付けに供される一対の取付部材 (足部材(2))と、を備えて構成される。取付部材の夫々には、絶縁ハウジングに係合するための複数の突起 (11,13,17) が設けられている。
【０００８】
斯かるもとで、絶縁ハウジングに配列形成された所定数の接点凹部に所定数のコンタクトが夫々配された後、絶縁ハウジングにおける長手方向の両端部の夫々に、取付部材が、それに設けられた複数の突起を絶縁ハウジングに係合させることにより機械的に組み付けられて、コネクタ装置（電気コネクタ）として組み立てられる。このようにして組み立てられた後、必要に応じて、絶縁ハウジングにおける長手方向の両端部の夫々から取付部材が取り外され、さらに、絶縁ハウジングに配列形成された所定数の接点凹部の夫々からコンタクトが取り外されて分解される。その後、絶縁ハウジングがその長手方向の中間部分で切断されて、配列形成された所定数より少数の接点凹部を有する短縮された絶縁ハウジングが形成される。そして、小型化が図られた絶縁ハウジングにおける所定数より少数の接点凹部の夫々にコンタクトが配された後、絶縁ハウジングにおける長手方向の両端部の夫々に取付部材が組み付けられて、再度、コネクタ装置として組み立てられる。その結果、所定数より少数のコンタクトが絶縁ハウジングに配列配置される小型化が図られたコネクタ装置が得られる。
【先行技術文献】
【特許文献】
【０００９】
【特許文献１】特開昭５８−２３１８０号公報（２及び３頁、Fig.１及び２）
【発明の概要】
【発明が解決しようとする課題】
【００１０】
上述のような、絶縁ハウジングに所定数のコンタクトが配列配置されるものとして一旦組み立てた後、所定数より少数のコンタクトが絶縁ハウジングに配列配置される小型化が図られたものとすることができる従来のコネクタ装置にあっては、絶縁ハウジングにおける長手方向の両端部に夫々機械的に組み付けられる一対の取付部材の夫々が、絶縁ハウジングに係合するための複数の突起が設けられたものとされ、しかも、これらの複数の突起のうちには、先端に絶縁ハウジングに引係るための鉤爪部が形成されたものが含まれることになる。また、絶縁ハウジングには、取付部材における突起の先端に形成された鉤爪部に対する受部が、その鉤爪部を受けるためのみに形成される。
【００１１】
それゆえ、絶縁ハウジング及び一対の取付部材の夫々について、その構成の複雑化がまねかれて、造形し難いものとなるという問題がある。それに加えて、小型化が図られたコネクタ装置を得るためのコネクタ装置の組立，分解及び再組立にあたり、鉤爪部が形成された複数の突起を有する取付部材を、絶縁ハウジングに組み付け、その後、絶縁ハウジングから取り外し、さらにその後、再度絶縁ハウジングに組み付けるという作業が、極めて作業性の悪い煩わしいものとなってしまう。
【００１２】
斯かる点に鑑み、本願の特許請求の範囲に記載された発明は、フレキシブル印刷配線基板やフレキシブル平板状ケーブル等とされる配線板状部材の他の電気部品への取付けに用いられるコネクタ装置であって、絶縁ハウジングに配列配置されるコンタクトの個数が絶縁ハウジングに板状部材差込み部を通じて差し込まれるべき配線板状部材に設けられた接続端子部の個数に応じたものに設定されるもとで、構成の複雑化がまねかれて造形し難いものとされる部材を必要としない比較的簡単な構成をもって容易に得られるものを提供し、さらに、絶縁ハウジングに板状部材差込み部を通じて差し込まれるべき配線板状部材に応じて、基本的な構成を共通にするもとで絶縁ハウジングに配列配置されるコンタクトの個数を所定数とするコネクタ装置及び所定数より多数または少数とするコネクタ装置のいずれをも、作業性の悪い煩わしい作業を要することなく容易に得ることができるコネクタ装置の製造方法を提供する。
【課題を解決するための手段】
【００１３】
本願の特許請求の範囲における請求項１から請求項５までのいずれかに記載された発明（以下、本願の第１の発明という。）に係るコネクタ装置は、配線板状部材が差し込まれる板状部材差込み部が設けられるとともに、板状部材差込み部を形成する部分に各々が配線板状部材の差込み方向に沿って伸びる複数の溝がその差込み方向に直交する方向に配列配置されて設けられた絶縁ハウジングと、複数の溝により支持されて絶縁ハウジングに配列配置され、板状部材差込み部を通じて絶縁ハウジング内に差し込まれた配線板状部材に配列配置された複数の接続端子部に接触接続される複数のコンタクトと、絶縁ハウジングにおける複数の溝の配列方向の両端部に夫々配されて絶縁ハウジングを補強する一対の補強部材とを備えて構成され、補強部材が、絶縁ハウジングに設けられた溝に差し込まれる差込み片部と絶縁ハウジングの外面部を抑える抑え部とを有し、差込み片部が溝に差し込まれてそれにより保持されることによって絶縁ハウジングに取り付けられることを特徴とするものとされる。
【００１４】
また、本願の特許請求の範囲における請求項６に記載された発明（以下、本願の第２の発明という。）に係るコネクタ装置の製造方法は、配線板状部材が差し込まれる板状部材差込み部が設けられるとともに、板状部材差込み部を形成する部分に各々が配線板状部材の差込み方向み沿って伸びる複数の溝がその差込み方向に直交する方向に配列配置されて設けられた絶縁ハウジングに、各々が絶縁ハウジングに設けられた溝に差し込まれる差込み片部と絶縁ハウジングの外面部を抑える抑え部とを有した複数の補強部材を、夫々の差込み片部を溝に差し込んでそれにより保持される状態として取り付け、その後、絶縁ハウジングを切断して、それにより得られる小規模絶縁ハウジングを、その小規模絶縁ハウジングにおける複数の溝の配列方向の両端部に補強部材のうちの一対が夫々配されて、それらにより補強されたものとなし、さらにその後、小規模絶縁ハウジングにおける複数の溝に複数のコンタクトを夫々配し、複数のコンタクトを、複数の溝により支持されて小規模絶縁ハウジングに配列配置され、板状部材差込み部を通じて絶縁ハウジング内に差し込まれた配線板状部材に配列配置された複数の接続端子部に接触接続されるものとなしてコネクタ装置を得るものとされる。
【００１５】
さらに、本願の特許請求の範囲における請求項７に記載された発明（以下、本願の第３の発明という。）に係るコネクタ装置の製造方法は、配線板状部材が差し込まれる板状部材差込み部が設けられるとともに、板状部材差込み部を形成する部分に各々が配線板状部材の差込み方向に沿って伸びる複数の溝がその差込み方向に直交する方向に配列配置されて設けられた絶縁ハウジングに、各々が溝に差し込まれる差込み片部と絶縁ハウジングの外面部を抑える抑え部とを有した複数の補強部材を、夫々の差込み片部を溝に差し込んでそれにより保持される状態として取り付け、その後、複数のコンタクトを、複数の溝のうちの補強部材を保持していないものに配し、溝により支持されて絶縁ハウジングに配列配置されるものとし、さらにその後、絶縁ハウジングを切断して、それにより得られる小規模絶縁ハウジングを、その小規模絶縁ハウジングにおける複数の溝の配列方向の両端部に挟まれた部分に複数のコンタクトの一部が配されるとともに、両端部に補強部材のうちの一対が夫々配されてそれらにより補強されたものとなし、複数のコンタクトの一部を板状部材差込み部を通じて絶縁ハウジング内に差し込まれた配線板状部材に配列配置された複数の接続端子部に接触接続されるものとしてコネクタ装置を得るものとされる。
【００１６】
上述のように構成される本願の第１の発明に係るコネクタ装置にあっては、絶縁ハウジングに、板状部材差込み部を通じて差し込まれた配線板状部材に配列配置された複数の接続端子部に接触接続される複数のコンタクトを夫々支持するに要される個数以上の個数の複数の溝が、配列配置されて設けられる。そして、絶縁ハウジングにおける複数の溝の配列方向の両端部に夫々配されて絶縁ハウジングを補強する一対の補強部材の夫々が、絶縁ハウジングに設けられた溝に差し込まれる差込み片部と絶縁ハウジングの外面部を抑える抑え部とを有したものとされ、その差込み片部が溝に差し込まれて保持されることにより、絶縁ハウジングに取り付けられる。絶縁ハウジングに取り付けられた補強部材の抑え部は、絶縁ハウジングの外面部にその外側から当接して当該外面部を抑える。
【００１７】
このようなもとで、絶縁ハウジングに配列配置されて設けられる溝の個数は、板状部材差込み部を通じて差し込まれるべき配線板状部材に配列配置された複数の接続端子部に夫々対応する複数のコンタクトの全部を支持でき、さらに、一対の補強部材の夫々における差込み片部を受け入れることができるものとされる。そして、本発明に係るコネクタ装置にあっては、絶縁ハウジングに配列配置されるコンタクトの個数が、絶縁ハウジングに差込み部を通じて差し込まれるべき配線板状部材に設けられた接続端子部の個数に応じたものに設定される。
【００１８】
差込み部を通じて差し込まれるべき配線板状部材に設けられた接続端子部の個数に応じた個数のコンタクトを支持するに要される個数以上の個数の複数の溝が配列配置されて設けられた絶縁ハウジングが、その複数の溝の配列方向の両端部の夫々において、差込み片部が溝に差し込まれて保持されることにより絶縁ハウジングに取り付けられるとともに抑え部が絶縁ハウジングの外面部にその外側から当接して当該外面部を抑えるものとされる補強部材によって補強される。このようにして補強部材によって補強された絶縁ハウジングにおける複数の溝により複数のコンタクトが夫々支持される状態がとられて、絶縁ハウジングに板状部材差込み部を通じて差し込まれるべき配線板状部材に設けられた接続端子部の個数に応じた個数のコンタクトを備えたコネクタ装置が構成される。
【００１９】
また、上述のような本願の第２の発明に係るコネクタ装置の製造方法によれば、先ず、板状部材差込み部を通じて差し込まれた配線板状部材に配列配置された複数の接続端子部に接触接続される複数のコンタクトを夫々支持するに要される個数以上の個数の複数の溝が配列配置されて設けられた絶縁ハウジングに、各々が絶縁ハウジングに設けられた溝に差し込まれる差込み片部と絶縁ハウジングの外面部を抑える抑え部とを有した複数の補強部材が、夫々の差込み片部が溝に差し込まれてそれにより保持される状態とされて取り付けられる。即ち、所定数のコンタクトを夫々支持するための所定数の溝が配列配置されて設けられた絶縁ハウジングに、複数の補強部材が、夫々の差込み片部が溝に差し込まれてそれにより保持される状態とされて取り付けられるのである。
【００２０】
その後、絶縁ハウジングが切断され、それにより得られる小規模絶縁ハウジングが、その小規模絶縁ハウジングにおける複数の溝の配列方向の両端部に補強部材のうちの一対が夫々配されて、それらにより補強されたものとされる。即ち、絶縁ハウジングが切断されて形成される、所定数より少数の溝部が配列配置されて設けられた小規模絶縁ハウジングが、それにおける複数の溝の配列方向の両端部に補強部材のうちの一対が夫々配されて、それらにより補強されたものとされて得られるのである。
【００２１】
続いて、小規模絶縁ハウジングにおける複数の溝に複数のコンタクトが夫々配され、複数のコンタクトが、複数の溝により支持されて小規模絶縁ハウジングに配列配置され、板状部材差込み部を通じて絶縁ハウジング内に差し込まれた配線板状部材に配列配置された複数の接続端子部に接触接続されるものとされて、コネクタ装置が得られる。即ち、所定数より少数の溝が配列配置されて設けられ、それにおける複数の溝の配列方向の両端部に夫々配された一対の補強部材により補強された小規模絶縁ハウジングに、所定数より少数のコンタクトが所定数より少数の溝部により夫々支持されて配列配置され、それにより、コネクタ装置が構成されるのである。
【００２２】
さらに、上述のような本願の第３の発明に係るコネクタ装置の製造方法によれば、先ず、板状部材差込み部を通じて差し込まれた配線板状部材に配列配置された複数の接続端子部に接触接続される複数のコンタクトを夫々支持するに要される個数以上の個数の複数の溝が配列配置されて設けられた絶縁ハウジングに、各々が絶縁ハウジングに設けられた溝に差し込まれる差込み片部と絶縁ハウジングの外面部を抑える抑え部とを有した複数の補強部材が、夫々の差込み片部が溝に差し込まれてそれにより保持される状態とされて取り付けられ、その後、複数のコンタクトが、複数の溝のうちの補強部材を保持していないものに配され、溝により支持されて絶縁ハウジングに配列配置されるものとされる。即ち、所定数のコンタクトを夫々支持するための所定数の溝が配列配置されて設けられた絶縁ハウジングに、複数の補強部材が、夫々の差込み片部が溝に差し込まれてそれにより保持される状態とされて取り付けられるとともに、複数のコンタクトが、複数の溝のうちの補強部材を保持していないものに配され、溝により支持されて配列配置されるのである。
【００２３】
続いて、絶縁ハウジングが切断され、それにより得られる小規模絶縁ハウジングが、その小規模絶縁ハウジングにおける複数の溝の配列方向の両端部に挟まれた部分に複数のコンタクトの一部が配されるとともに、両端部に補強部材のうちの一対が夫々配されてそれらにより補強されたものとされ、複数のコンタクトの一部が板状部材差込み部を通じて絶縁ハウジング内に差し込まれた配線板状部材に配列配置された複数の接続端子部に接触接続されるものとされることによって、所定数より少数のコンタクトが所定数より少数の溝部により夫々支持されて配列配置されるコネクタ装置が構成されるのである。
【発明の効果】
【００２４】
本願の第１の発明に係るコネクタ装置は、板状部材差込み部が設けられるとともに板状部材差込み部を形成する部分に複数の溝が配列配置されて設けられた絶縁ハウジングと、複数の溝により支持されて絶縁ハウジングに配列配置される複数のコンタクトと、絶縁ハウジングにおける複数の溝の配列方向の両端部に夫々配されて絶縁ハウジングを補強する一対の補強部材とを備えて構成されて、補強部材が、絶縁ハウジングに設けられた溝に差し込まれる差込み片部と絶縁ハウジングの外面部を抑える抑え部とを有し、差込み片部が溝に差し込まれてそれにより保持されることによって絶縁ハウジングに取り付けられるものとされる。斯かるもとで、絶縁ハウジングに配列配置されるコンタクトの個数は、絶縁ハウジングに板状部材差込み部を通じて差し込まれるべき配線板状部材に設けられた接続端子部の個数に応じたものに設定することができる。それゆえ、本願の第１の発明に係るコネクタ装置は、フレキシブル印刷配線基板やフレキシブル平板状ケーブル等とされる配線板状部材の他の電気部品への取付けに用いられるコネクタ装置であって、絶縁ハウジングに配列配置されるコンタクトの個数が絶縁ハウジングに板状部材差込み部を通じて差し込まれるべき配線板状部材に設けられた接続端子部の個数に応じたものに設定されるもとで、構成の複雑化により造形し難いものとされる部材を必要としない比較的簡単な構成をもって容易に得られるものとなる。
【００２５】
また、本願の第２の発明に係るコネクタ装置の製造方法においては、所定数のコンタクトを夫々支持するための所定数の溝が配列配置されて設けられた絶縁ハウジングに、複数の補強部材が、夫々の差込み片部が溝に差し込まれてそれにより保持される状態とされて取り付けられ、その後、絶縁ハウジングが切断されて形成される、所定数より少数の溝部が配列配置されて設けられた小規模絶縁ハウジングが、それにおける複数の溝の配列方向の両端部に補強部材のうちの一対が夫々配されて、それらにより補強されたものとされ、さらにその後、所定数より少数の溝が配列配置されて設けられ、それにおける複数の溝の配列方向の両端部に夫々配された一対の補強部材により補強された小規模絶縁ハウジングに、所定数より少数のコンタクトが所定数より少数の溝部により夫々支持されて配列配置されて、コネクタ装置が構成される。斯かるもとで、絶縁ハウジングに配列配置されるコンタクトの個数は、絶縁ハウジングに板状部材差込み部を通じて差し込まれるべき配線板状部材に設けられた接続端子部の個数に応じたものに設定することができる。従って、本願の第２の発明に係るコネクタ装置の製造方法によれば、絶縁ハウジングに板状部材差込み部を通じて差し込まれるべき配線板状部材に応じて、基本的な構成を共通にするもとで絶縁ハウジングに配列配置されるコンタクトの個数を所定数とするコネクタ装置及び所定数より多数または少数とするコネクタ装置のいずれをも、作業性の悪い煩わしい作業を要することなく容易に得ることができる。
【００２６】
さらに、本願の第３の発明に係るコネクタ装置の製造方法においては、所定数のコンタクトを夫々支持するための所定数の溝が配列配置されて設けられた絶縁ハウジングに、複数の補強部材が、夫々の差込み片部が溝に差し込まれてそれにより保持される状態とされて取り付けられるとともに、複数のコンタクトが、複数の溝のうちの補強部材を保持していないものに配され、溝により支持されて絶縁ハウジングに配列配置されるものとされて、複数の補強部材が取り付けられるとともに複数のコンタクトが配列配置された絶縁ハウジングが得られ、その後、その絶縁ハウジングが切断されて形成される、所定数より少数の溝部が配列配置されて設けられた小規模絶縁ハウジングが、それにおける複数の溝の配列方向の両端部に挟まれた部分に複数のコンタクトの一部が配されるとともに、両端部に補強部材のうちの一対が夫々配されてそれらにより補強されたものとされ、それにより、所定数より少数のコンタクトが所定数より少数の溝部により夫々支持されて配列配置されるコネクタ装置が構成される。斯かるもとで、絶縁ハウジングに配列配置されるコンタクトの個数は、絶縁ハウジングに板状部材差込み部を通じて差し込まれるべき配線板状部材に設けられた接続端子部の個数に応じたものに設定することができる。従って、本願の第３の発明に係るコネクタ装置の製造方法によれば、絶縁ハウジングに板状部材差込み部を通じて差し込まれるべき配線板状部材に応じて、基本的な構成を共通にするもとで絶縁ハウジングに配列配置されるコンタクトの個数を所定数とするコネクタ装置及び所定数より多数または少数とするコネクタ装置のいずれをも、作業性の悪い煩わしい作業を要することなく容易に得ることができる。
【図面の簡単な説明】
【００２７】
【図１】本願の第１の発明に係るコネクタ装置の第１の例を示す斜視図である。
【図２】本願の第１の発明に係るコネクタ装置の第１の例を示す平面図である。
【図３】図２における III−III 線断面を示す断面図である。
【図４】本願の第１の発明に係るコネクタ装置の第１の例を、その絶縁ハウジングに差し込まれたフレキシブル印刷配線基板と共に示す斜視図である。
【図５】本願の第１の発明に係るコネクタ装置の第１の例を分解して示す分解斜視図である。
【図６】本願の第１の発明に係るコネクタ装置の第２の例を示す斜視図である。
【図７】本願の第１の発明に係るコネクタ装置の第２の例を分解して示す分解斜視図である。
【図８】本願の第１の発明に係るコネクタ装置の第２の例を構成する絶縁ハウジングの形成についての説明に供される斜視図である。
【図９】本願の第１の発明に係るコネクタ装置の第２の例を構成するアクチュエータの形成についての説明に供される斜視図である。
【図１０】本願の第１の発明に係るコネクタ装置の第３の例を示す斜視図である。
【図１１】本願の第１の発明に係るコネクタ装置の第３の例を分解して示す分解斜視図である。
【図１２】本願の第１の発明に係るコネクタ装置の第４の例を示す斜視図である。
【図１３】本願の第１の発明に係るコネクタ装置の第４の例の製造に適用された本願の第２の発明または本願の第３の発明に係るコネクタ装置の製造方法の一例の説明に供される図である。
【発明を実施するための形態】
【００２８】
本願の第１の発明及び第２の発明を実施するための形態は、以下に述べられる本発明についての実施例をもって説明される。
【実施例１】
【００２９】
図１（斜視図）及び第２図（平面図）は、本願の第１の発明に係るコネクタ装置の第１の例を示す。
【００３０】
図１及び図２において、本願の第１の発明に係るコネクタ装置の第１の例を成すコネクタ装置１０は、合成樹脂等の絶縁材料によって形成された絶縁ハウジング１１を備えている。コネクタ装置１０が実際の使用に供されるときには、絶縁ハウジング１１は、例えば、電子機器の主配線基板（図示が省略されている。）に固定され、それにより、コネクタ装置１０の全体が当該主配線基板に固定される。
【００３１】
絶縁ハウジング１１には、板状部材差込み部１２が設けられており、この板状部材差込み部１２は、絶縁ハウジング１１の一端部において開口しており、その一端部から絶縁ハウジング１１の内部へと広がる収容空間を含んでいる。（以下においては、絶縁ハウジング１１における板状部材差込み部１２が開口する一端部を正面側端部という。）
【００３２】
そして、絶縁ハウジング１１には、例えば、フレキシブル印刷配線基板４０（後述される図４に示されている。）が、配線板状部材を成すものとして、板状部材差込み部１２を通じて差し込まれる。その際、フレキシブル印刷配線基板４０は、その一端部分が板状部材差込み部１２を通じて絶縁ハウジング１１の内部に配され、他の部分は絶縁ハウジング１１の外部に留められる。
【００３３】
板状部材差込み部１２を通じて絶縁ハウジング１１の内部に配される状態がとられるフレキシブル印刷配線基板４０の一端部分には、各々が、例えば、短冊形を成すものとされた導電性材料で成る複数の接続端子部（図示が省略されている。）が、配列配置されて設けられている。複数の接続端子部の夫々は、フレキシブル印刷配線基板４０に設けられた印刷配線部に連結されている。
【００３４】
コネクタ装置１０の絶縁ハウジング１１には、板状部材差込み部１２を形成する部分に各々がフレキシブル印刷配線基板４０の差込み方向に沿って伸びる複数の溝１３が、フレキシブル印刷配線基板４０の差込み方向に直交する方向（絶縁ハウジング１１の長手方向）に配列配置されて設けられている。複数の溝１３の夫々の一端は、絶縁ハウジング１１の正面側端部に位置するものとされている。
【００３５】
複数の溝１３には、例えば、それらのうちの絶縁ハウジング１１の長手方向の両端部に配されたものを除いて、夫々にコンタクト１４が配され、複数のコンタクト１４の夫々が溝１３によって支持されたものとされる。それにより、複数のコンタクト１４が、絶縁ハウジング１１に、その長手方向に配列配置されて設けられたものとされ、フレキシブル印刷配線基板４０の一端部分が板状部材差込み部１２を通じて絶縁ハウジング１１内に差し込まれるとき、差し込まれたフレキシブル印刷配線基板４０の一端部分における複数の接続端子部に夫々対応する位置をとる。
【００３６】
これらの複数のコンタクト１４は、その個数が、絶縁ハウジング１１に板状部材差込み部１２を通じて差し込まれるべきフレキシブル印刷配線基板４０の一端部分における複数の接続端子部の個数に応じた所定数であるＮ個（Ｎは整数）に選定される。それに伴い、絶縁ハウジング１１に配列配置されて設けられる複数の溝１３の個数は、Ｎ個より多数である、例えば、Ｎ＋２個に選定され、配列配置されたＮ＋２個の溝１３のうちの両端部のものを除いたＮ個の溝１３に、Ｎ個のコンタクト１４が夫々配される。
【００３７】
Ｎ個のコンタクト１４の夫々は、図２におけるIII-III 線断面をあらわす図３に示されるように、弾性を有した導電性材料で形成されて、全体的にエ字状を成す板状体を成すものとされる。そして、斯かるＮ個のコンタクト１４の夫々は、絶縁ハウジング１１に固定される固定ビーム部１５と、絶縁ハウジング１１内において変位可能とされた可動ビーム部１６と、固定ビーム部１５と可動ビーム部１６とを連結して可動ビーム部１６を支える連結支柱部１７とを有している。
【００３８】
コンタクト１４の固定ビーム部１５にあっては、その一端部１５ａが、板状部材差込み部１２に臨む位置に配され、また、その他端部１５ｂが、絶縁ハウジング１１における正面側端部に対向する背面側端部から絶縁ハウジング１１外に突出する連結端子部を形成している。この固定ビーム部１５の端部１５ｂが形成する連結端子部は、例えば、絶縁ハウジング１１が固定された主配線基板に設けられた配線部に、例えば、半田付けによって連結される。
【００３９】
コンタクト１４の可動ビーム部１６にあっては、その一端部１６ａが、絶縁ハウジング１１に差し込まれたフレキシブル印刷配線基板４０の一端部分における接続端子部に押圧接触する接触部を形成し、また、その他端部１６ｂが、後述されるアクチュエータ３０に設けられたカム部３１からの押圧力を受ける受圧部を形成するものとされている。可動ビーム部１６の端部１６ａが形成する接触部は、固定ビーム部１５の端部１５ａに対向するものとして板状部材差込み部１２に臨む位置に配され、また、可動ビーム部１６の端部１６ｂが形成する受圧部は、固定ビーム部１５の端部１５ｂに対向する位置に配される。
【００４０】
コンタクト１４の連結支柱部１７は、可動ビーム部１６の端部１６ａが形成する接触部と端部１６ｂが形成する受圧部との間の部分を固定ビーム部１５の端部１５ａと端部１５ｂとの間の部分に連結して、可動ビーム部１６を揺動可能に支えている。そして、可動ビーム部１６の揺動は、端部１６ｂが形成する受圧部に押圧力を及ぼすアクチュエータ３０に設けられたカム部３１の回動によってもたらされ、それにより、可動ビーム部１６の端部１６ａが固定ビーム部１５の端部１５ａに対して近接もしくは離隔するように変位せしめられる。
【００４１】
絶縁ハウジング１１における長手方向の両端部には、絶縁ハウジング１１を補強する一対の補強部材２０Ａ及び２０Ｂが配される。補強部材２０Ａは、絶縁ハウジング１１における長手方向の一端部に形成された溝１３、即ち、配列配置されたＮ＋２個の溝１３のうちの両端部のものの一方である溝１３に絶縁ハウジング１１の正面端部側から差し込まれる差込み片部２１Ａと、絶縁ハウジング１１をその厚み方向 (上下方向）において外側から挟み、絶縁ハウジング１１の相対向する一対の外面部（上方外面部及び下方外面部）を抑える抑え部２２Ａと、差込み片部２１Ａと抑え部２２Ａとを連結する連結部２３Ａとを有していて、その全体が一体形成されている。また、補強部材２０Ｂは、絶縁ハウジング１１における長手方向の他端部に形成された溝１３、即ち、配列配置されたＮ＋２個の溝１３のうちの両端部のものの他方である溝１３に絶縁ハウジング１１の正面端部側から差し込まれる差込み片部２１Ｂと、絶縁ハウジング１１を上下方向において外側から挟み、絶縁ハウジング１１の相対向する上方外面部及び下方外面部を抑える抑え部２２Ｂと、差込み片部２１Ｂと抑え部２２Ｂとを連結する連結部２３Ｂとを有していて、その全体が一体形成されている。
【００４２】
補強部材２０Ａと補強部材２０Ｂとは、実質的に同じ部材とすることができるものであり、その場合には、絶縁ハウジング１１における長手方向の両端部に差込み片部２１Ａ及び差込み片部２１Ｂの夫々が溝１３に差し込まれて夫々配されるにあたっては、各々の向きを異にするものとされて、差込み片部２１Ａと差込み片部２１Ｂとが相互対向する状態におかれる。
【００４３】
そして、補強部材２０Ａは、その差込み片部２１Ａが絶縁ハウジング１１における長手方向の一端部に形成された溝１３に差し込まれてその溝１３により保持されることにより、絶縁ハウジング１１に取り付けられて、その抑え部２２Ａにより絶縁ハウジング１１の上方外面部及び下方外面部を抑えるものとされる。同様に、補強部材２０Ｂも、その差込み片部２１Ｂが絶縁ハウジング１１における長手方向の他端部に形成された溝１３に差し込まれてその溝１３により保持されることにより、絶縁ハウジング１１に取り付けられて、その抑え部２２Ｂにより絶縁ハウジング１１の上方外面部及び下方外面部を抑えるものとされる。
【００４４】
また、絶縁ハウジング１１における長手方向の両端部に夫々配された補強部材２０Ａ及び補強部材２０Ｂは、補強部材２０Ａにおける差込み片部２１Ａの外面部と補強部材２０Ｂにおける差込み片部２１Ｂの外面部とが、絶縁ハウジング１１に板状部材差込み部１２を通じて差し込まれるフレキシブル印刷配線基板４０に対する案内手段の役割を果たすものとされる。それにより、絶縁ハウジング１１に板状部材差込み部１２を通じて差し込まれるフレキシブル印刷配線基板４０は、その両側端面部を補強部材２０Ａにおける差込み片部２１Ａの外面部と補強部材２０Ｂにおける差込み片部２１Ｂの外面部とに夫々接触させつつ絶縁ハウジング１１の内部へと進み、それに設けられた複数の接続端子部が絶縁ハウジング１１内の複数のコンタクト１４に適性に対応するものとなるように位置決めされる。
【００４５】
補強部材２０Ａの抑え部２２Ａにおける絶縁ハウジング１１の下方外面部を抑える部分は、絶縁ハウジング１１が固定されるべき主配線基板に固定されて、絶縁ハウジング１１の主配線基板への固定に供される役割も果たす。同様に、補強部材２０Ｂの抑え部２２Ｂにおける絶縁ハウジング１１の下方外面部を抑える部分も、絶縁ハウジング１１が固定されるべき主配線基板に固定されて、絶縁ハウジング１１の主配線基板への固定に供される役割も果たす。
【００４６】
また、コネクタ装置１０は、絶縁ハウジング１１に対して回動可能とされたアクチュエータ３０を備えている。アクチュエータ３０は、絶縁ハウジング１１におけるＮ個のコンタクト１４の配列方向に沿って伸びる細長い形状をしていて、その長手方向を絶縁ハウジング１１の長手方向と同方向としており、図１〜図３に示されるような、絶縁ハウジング１１に対して起き上がった位置となる第１の静止位置と、後述される図４に示されるような、第１の静止位置から絶縁ハウジング１１の背面端部側に略９０度だけ回動変位した、絶縁ハウジング１１に対して伏した位置となる第２の静止位置とをとる。そして、アクチュエータ３０に回動操作が加えられるとき、アクチュエータ３０が、第１の静止位置から第２の静止位置への移行、あるいは、第２の静止位置から第１の静止位置への移行を行うものとされる。
【００４７】
アクチュエータ３０には、図３に示されるような、複数のカム部３１が一体的に設けられている。複数のカム部３１の各々は、複数のコンタクト１４の配列方向に直交する断面の形状が楕円状とされており、従って、対向端面部間の差渡し寸法が極大となる極大寸法部を有していて、アクチュエータ３０の回動位置の変化に伴って極大寸法部を変位させるものとされている。そして、複数のカム部３１は、Ｎ個のコンタクト１４に応じてＮ個設けられており、Ｎ個のカム部３１の夫々は、Ｎ個のコンタクト１４のうちの対応するものにおける固定ビーム部１５の端部１５ｂと可動ビーム部１６の端部１６ｂとにより挟まれて保持されている。それにより、アクチュエータ３０の全体が、Ｎ個のコンタクト１４によって、絶縁ハウジング１１に対して回動可能に支持されることになる。
【００４８】
このように、アクチュエータ３０が備えるＮ個のカム部３１は、Ｎ個のコンタクト１４に夫々対応しており、複数のコンタクト１４が絶縁ハウジング１１の長手方向に沿って配列配置されていることにより、Ｎ個のカム部３１は、アクチュエータ３０にその長手方向に沿って配列配置されて設けられていることになる。
【００４９】
さらに、アクチュエータ３０には、Ｎ個のコンタクト１４に夫々対応するＮ個の逃がし孔３２が形成されていて、アクチュエータ３０の第１の静止位置から第２の静止位置に移行する際の回動、及び、第２の静止位置から第１の静止位置に移行する際の回動にあたり、Ｎ個のコンタクト１４によってアクチュエータ３０の回動が妨げられることがないようにされている。
【００５０】
このようなもとで、図１に示されるように、アクチュエータ３０が第１の静止位置をとる状態にあるとき、フレキシブル印刷配線基板４０が絶縁ハウジング１１に板状部材差込み部１２を通じて差し込まれ、フレキシブル印刷配線基板４０の一端部分がハウジング１１の内部に配される。そして、フレキシブル印刷配線基板４０の一端部分が絶縁ハウジング１１の内部に配されたもとで、アクチュエータ３０が、それに対する回動操作により回動せしめられ、図４に示されるように、第１の静止位置から第２の静止位置に移行すると、Ｎ個のコンタクト１４の夫々が、絶縁ハウジング１１の内部に配されたフレキシブル印刷配線基板４０の一端部分に設けられた複数の接続端子部のうちの対応するものに対する押圧接触状態をとるものとされる。
【００５１】
斯かる際においては、先ず、アクチュエータ３０が第１の静止位置をとるもとにおいて、フレキシブル印刷配線基板４０が絶縁ハウジング１１に板状部材差込み部１２を通じて差し込まれると、絶縁ハウジング１１の内部に配されるフレキシブル印刷配線基板４０の一端部分が、図３に示されるＮ個のコンタクト１４の夫々における固定ビーム部１５と可動ビーム部１６との間の位置をとるものとされる。
【００５２】
続いて、第１の静止位置をとるアクチュエータ３０が、回動操作により、第１の静止位置から第２の静止位置に移行すべく回動せしめられると、そのアクチュエータ３０の第１の静止位置から第２の静止位置に移行する回動に伴って、アクチュエータ３０に設けられたＮ個のカム部３１の夫々が、その極大寸法部分を変位させるものとされる。
【００５３】
このとき、Ｎ個のカム部３１の夫々は、図３に示されるように、アクチュエータ３０の回動に伴って極大寸法部の方向を変化させつつ、Ｎ個のコンタクト１４のうちの対応するものの可動ビーム部１６の端部１６ｂが形成する受圧部に、固定ビーム部１５の端部１５ｂから離隔する方向に変位させる押圧力を作用させる。それにより、Ｎ個のカム部３１の夫々は、可動ビーム部１６を連結支柱部１７を支軸として揺動変位させ、可動ビーム１６の端部１６ａが形成する接触部を、固定ビーム部１５の端部１５ａに近接する方向に変位させて、絶縁ハウジング１１の内部に配されたフレキシブル印刷配線基板４０の一端部分における複数の接続端子部のうちの対応するものに押圧接触させる。
【００５４】
それにより、Ｎ個のコンタクト１４の夫々が絶縁ハウジング１１の内部に配されたフレキシブル印刷配線基板４０の一端部分における複数の接続端子部のうちの対応するものに対する押圧接触状態をとるものとされる。その結果、フレキシブル印刷配線基板４０が、コネクタ装置１０を介して、コネクタ装置１０が固定された主配線基板に電気的に連結されて取り付けられることになる。
【００５５】
そして、回動操作されたアクチュエータ３０が第２の静止位置をとるものとされると、アクチュエータ３０に備えられたカム部３１が可動ビーム部１６の端部１６ｂに極大寸法部をもって係合する状態を維持する。それにより、可動ビーム部１６の端部１６ａが形成する接触部が、絶縁ハウジング１１の内部に配されたフレキシブル印刷配線基板４０の一端部分における接続端子部に押圧当接して、その接続端子部が設けられたフレキシブル印刷配線基板４０の一端部分を固定ビーム部１５の端部１５ａとによって挟持する状態におかれ、Ｎ個のコンタクト１４の夫々がフレキシブル印刷配線基板４０の一端部分に設けられた複数の接続端子部のうちの対応するものに対する押圧接触状態を維持するものとされる。
【００５６】
図４に示されるように、フレキシブル印刷配線基板４０の一端部分が絶縁ハウジング１１の内部に配されたもとで第２の静止位置をとるものとされたアクチュエータ３０は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００５７】
第２の静止位置から第１の静止位置に移行する回動を行うアクチュエータ３０は、絶縁ハウジング１１に配列配置されて設けられたＮ個のコンタクト１４の夫々を、フレキシブル印刷配線基板４０の一端部分に配列配置されて設けられた複数の接続端子部のうちの対応するものに対する押圧接触状態から解放する。斯かる際には、アクチュエータ３０の第２の静止位置から第１の静止位置に移行する回動に伴って、複数のコンタクト１４の夫々に極大寸法部をもって係合して、コンタクト１４に接続端子部に対する押圧接触状態をとらせている、アクチュエータ３０に設けられたＮ個のカム部３１の夫々が、Ｎ個のコンタクト１４のうちの対応するものにおける可動ビーム部１６の端部１６ｂが形成する受圧部に極大寸法部をもって係合する状態を解除して、再度、可動ビーム部１６の揺動変位を生じさせ、当該可動ビーム１６の端部１６ａが形成する接触部を、フレキシブル印刷配線基板４０の一端部分に設けられた複数の接続端子部のうちの対応するものに対する押圧接触を止めさせる。それにより、Ｎ個のコンタクト１４の夫々が、絶縁ハウジング１１の内部に配されたフレキシブル印刷配線基板４０の一端部分に設けられた複数の接続端子部のうちの対応するものに対する押圧接触状態から解放される。
【００５８】
上述のような本願の第１の発明に係るコネクタ装置の第１の例を成すコネクタ装置１０は、図５に示されるように、板状部材差込み部１２と配列配置されたＮ＋２個の溝１３とが設けられた絶縁ハウジング１１と、絶縁ハウジング１１における長手方向の両端部に夫々配される一対の補強部材２０Ａ及び２０Ｂと、配列配置されたＮ＋２個の溝１３のうちの両端部のものを除いたＮ個に夫々配されるＮ個のコンタクト１４と、Ｎ個のカム部３１とＮ個の逃がし孔３２とが設けられたアクチュエータ３０とが用意され、それらを用いての組立てが行われて得られるものとなる。
【００５９】
そして、斯かるコネクタ装置１０の組立てにあたっては、先ず、図５において矢印(1) によって示されるように、補強部材２０Ａ及び２０Ｂが絶縁ハウジング１１における長手方向の両端部に夫々配される。その際には、補強部材２０Ａにおける差込み片部２１Ａが、配列配置されたＮ＋２個の溝１３のうちの両端部のものの一方である溝１３に絶縁ハウジング１１の正面端部側から差し込まれて、その溝１３により保持されるものとされ、それにより、補強部材２０Ａが絶縁ハウジング１１における長手方向の一端部に取り付けられるとともに、補強部材２０Ｂにおける差込み片部２１Ｂが、配列配置されたＮ＋２個の溝１３のうちの両端部のものの他方である溝１３に絶縁ハウジング１１の正面端部側から差し込まれて、その溝１３により保持されるものとされ、それにより、補強部材２０Ｂが絶縁ハウジング１１における長手方向の他端部に取り付けられる。絶縁ハウジング１１に取り付けられた補強部材２０Ａ及び２０Ｂは、補強部材２０Ａにおける抑え部２２Ａ及び補強部材２０Ｂにおける抑え部２２Ｂの夫々が絶縁ハウジング１１における上方外面部及び下方外面部を外側から押さえる状態をとるもとで、絶縁ハウジング１１を補強する。
【００６０】
次に、図５において矢印(2) によって示されるように、Ｎ個のコンタクト１４が、絶縁ハウジング１１にその背面側端部側から圧入され、Ｎ＋２個の溝１３のうちの両端部のものを除いたＮ個に夫々配されて、各々が溝１３によって支持されるものとされる。それにより、Ｎ個のコンタクト１４が絶縁ハウジング１１に配列配置されて設けられることになる。
【００６１】
続いて、図５において矢印(3) によって示されるように、アクチュエータ３０が、絶縁ハウジング１１に配列形成されて設けられたＮ個のコンタクト１４に、それらにより絶縁ハウジング１１に対して回動可能に支持されるものとして取り付けられる。その際には、アクチュエータ３０に設けられたＮ個の逃がし孔３２の夫々の、Ｎ個のコンタクト１４のうちの対応するものの一部分が配されるとともに、アクチュエータ３０に設けられたＮ個のカム部３１の夫々が、Ｎ個のコンタクト１４のうちの対応するものにおける固定ビーム部１５の端部１５ｂと可動ビーム部１６の端部１６ｂとに挟まれて保持されるものとされる。その結果、コネクタ装置１０が得られる。
【００６２】
なお、上述の本願の第１の発明に係るコネクタ装置の第１の例にあっては、アクチュエータ３０が備えられているが、アクチュエータ３０は必ず必要というものではなく、第１の例は、アクチュエータ３０を備えないものとして構成され得るものである。第１の例がアクチュエータ３０を備えないものとされる場合には、フレキシブル印刷配線基板４０が絶縁ハウジング１１に板状部材差込み部１２を通じて差し込まれると、絶縁ハウジング１１に配列配置されて設けられたＮ個のコンタクト１４が、フレキシブル印刷配線基板４０の一端部分に配列配置されて設けられた複数の接続端子部に自動的に接触接続され、また、フレキシブル印刷配線基板４０が絶縁ハウジング１１から板状部材差込み部１２を通じて抜脱されると、Ｎ個のコンタクト１４がフレキシブル印刷配線基板４０の一端部分に設けられた複数の接続端子部に接触接続された状態から解放される。これよりして、本願の第１の発明に係るコネクタ装置は、上述の第１の例に限られることなく、本願の特許請求の範囲に記載された構成要件を備えたもとで他の態様をとることができ、また、本願の第１の発明に係るコネクタ装置にあっては、アクチュエータを備えて構成される場合とアクチュエータを備えることなく構成される場合とがあることになる。
【００６３】
このような本願の第１の発明に係るコネクタ装置の第１の例を成すコネクタ装置１０は、フレキシブル印刷配線基板やフレキシブル平板状ケーブル等とされる配線板状部材の他の電気部品への取付けに用いられるコネクタ装置であって、絶縁ハウジング１１に配列配置されるＮ個のコンタクト１４が絶縁ハウジング１１に板状部材差込み部１２を通じて差し込まれるべき配線板状部材に設けられた接続端子部の個数に応じたものに設定されるもとで、構成の複雑化により造形し難いものとされる部材を必要としない比較的簡単な構成をもって容易に得られるものとなる。
【実施例２】
【００６４】
図６（斜視図）は、本願の第１の発明に係るコネクタ装置の第２の例を示す。
【００６５】
図６に示される本願の第１の発明に係るコネクタ装置の第２の例を成すコネクタ装置５０も、その基本的構成を前述のコネクタ装置１０と同じとしており、前述の絶縁ハウジング１１に相当する絶縁ハウジング５１と、前述のコンタクト１４と同様の複数のコンタクト１４と、前述の補強部材２０Ａ及び２０Ｂと同様の補強部材２０Ａ及び２０Ｂと、前述のアクチュエータ３０に相当するアクチュエータ６０とを備えて構成されている。
【００６６】
このコネクタ装置５０は、配線板状部材として、例えば、前述のフレキシブル印刷配線基板４０に設けられた複数の接続端子部の個数より少ない個数の接続端子部が設けられたフレキシブル印刷配線基板が、絶縁ハウジング５１にそれに設けられた板状部材差込み部１２を通じて差し込まれるものとされている。そのため、絶縁ハウジング５１に配列配置されて設けられる複数のコンタクト１４の個数が、Ｎ個より少数の個数、例えば、２個とされ、それに伴って、絶縁ハウジング５１に配列配置されて設けられる複数の溝１３の個数が、Ｎ＋２個より少数の個数、例えば、４個とされている。また、アクチュエータ６０に設けられる複数のカム部３１の個数及び複数の逃がし孔３２の個数の夫々も、Ｎ個より少数の個数、例えば、４個とされている。
【００６７】
斯かるコネクタ装置５０を構成する絶縁ハウジング５１，２個のコンタクト１４，補強部材２０Ａ及び２０Ｂ及びアクチュエータ６０の相互係合状態や役割等は、前述のコネクタ装置１０を構成する絶縁ハウジング１１，Ｎ個のコンタクト１４，補強部材２０Ａ及び２０Ｂ及びアクチュエータ３０の場合と同様である。
【００６８】
このような本願の第１の発明に係るコネクタ装置の第２の例を成すコネクタ装置５０は、図７に示されるように、板状部材差込み部１２と配列配置された４個の溝１３とが設けられた絶縁ハウジング５１と、絶縁ハウジング５１における４個の溝１３の配列方向の両端部に夫々配される一対の補強部材２０Ａ及び２０Ｂと、配列配置された４個の溝１３のうちの両端部のものを除いた２個に夫々配される２個のコンタクト１４と、４個のカム部３１と４個の逃がし孔３２とが設けられたアクチュエータ６０とが用意され、それらを用いての組立てが行われて得られるものとなる。
【００６９】
絶縁ハウジング５１は、例えば、図８に示されるような、前述のコネクタ装置１０を構成するものとされる、板状部材差込み部１２と配列配置されたＮ個の溝１３とが設けられた絶縁ハウジング１１が、切断線ＣＨ−ＣＨに沿って、４個の溝１３を含む部分が得られるように切断されることにより、その４個の溝１３を含む部分をもって形成される。また、アクチュエータ６０は、例えば、図９に示されるような、前述のコネクタ装置１０を構成するものとされる、配列配置されたＮ個のカム部３１と配列配置されたＮ個の逃がし孔３２とが設けられたアクチュエータ３０が、切断線ＣＡ−ＣＡに沿って、４個のカム部３１と４個の逃がし孔３２とを含む部分が得られるように切断されることにより、その４個のカム部３１と４個の逃がし孔３２とを含む部分をもって形成される。
【００７０】
そして、図７に示される絶縁ハウジング５１，一対の補強部材２０Ａ及び２０Ｂ，２個のコンタクト１４及びアクチュエータ６０が、図５に示される絶縁ハウジング１１，一対の補強部材２０Ａ及び２０Ｂ，Ｎ個のコンタクト１４及びアクチュエータ３０の場合と同様の手順をもって相互係合されて、コネクタ装置５０が組み立てられる。
【００７１】
なお、上述の本願の第１の発明に係るコネクタ装置の第２の例にあっては、アクチュエータ６０が備えられているが、アクチュエータ６０は必ず必要というものではなく、第２の例は、アクチュエータ６０を備えないものとして構成され得るものである。第２の例がアクチュエータ６０を備えないものとされる場合には、フレキシブル印刷配線基板が絶縁ハウジング５１に板状部材差込み部１２を通じて差し込まれると、絶縁ハウジング５１に配列配置されて設けられた２個のコンタクト１４が、フレキシブル印刷配線基板の一端部分に配列配置されて設けられた複数の接続端子部に自動的に接触接続され、また、フレキシブル印刷配線基板が絶縁ハウジング５１から板状部材差込み部１２を通じて抜脱されると、２個のコンタクト１４がフレキシブル印刷配線基板の一端部分に設けられた複数の接続端子部に接触接続された状態から解放される。これよりして、本願の第１の発明に係るコネクタ装置は、上述の第２の例に限られることなく、本願の特許請求の範囲に記載された構成要件を備えたもとで他の態様をとることができ、また、本願の第１の発明に係るコネクタ装置にあっては、アクチュエータを備えて構成される場合とアクチュエータを備えることなく構成される場合とがあることになる。
【００７２】
このような本願の第１の発明に係るコネクタ装置の第２の例を成すコネクタ装置５０は、フレキシブル印刷配線基板やフレキシブル平板状ケーブル等とされる配線板状部材の他の電気部品への取付けに用いられるコネクタ装置であって、絶縁ハウジング５１に配列配置される２個のコンタクト１４が絶縁ハウジング５１に板状部材差込み部１２を通じて差し込まれるべき配線板状部材に設けられた接続端子部の個数に応じたものに設定されるもとで、構成の複雑化により造形し難いものとされる部材を必要としない比較的簡単な構成をもって容易に得られるものとなる。
【実施例３】
【００７３】
図１０（斜視図）は、本願の第１の発明に係るコネクタ装置の第３の例を示す。
【００７４】
図１０に示される本願の第１の発明に係るコネクタ装置の第３の例を成すコネクタ装置７０は、図１及び図２に示されるコネクタ装置１０と同様に構成される部分を多々有しており、斯かる部分については、図１０において図１及び図２と共通の符号が付されて示されており、それらについての重複説明は省略される。
【００７５】
図１０に示されるコネクタ装置７０にあっては、図１及び図２に示されるコネクタ装置１０における一対の補強部材２０Ａ及び２０Ｂに代わるものとして、一対の補強部材７５Ａ及び７５Ｂが備えられており、その他の部分は、図１及び図２に示されるコネクタ装置１０と同様に構成されている。
【００７６】
補強部材７５Ａと補強部材７５Ｂとは、互いに同一の形状を有する板状部材とされており、絶縁ハウジング１１における長手方向の両端部に夫々配される。補強部材７５Ａは、絶縁ハウジング１１における長手方向の一端部に形成された溝１３、即ち、配列配置されたＮ＋２個の溝１３のうちの両端部のものの一方である溝１３に絶縁ハウジング１１の正面端部側から差し込まれる差込み片部７６Ａと、絶縁ハウジング１１を上下方向において外側から挟み、絶縁ハウジング１１の相対向する上方外面部及び下方外面部を抑える抑え部７７Ａとを有していて、その全体が一体形成されている。また、補強部材７５Ｂは、絶縁ハウジング１１における長手方向の他端部に形成された溝１３、即ち、配列配置されたＮ＋２個の溝１３のうちの両端部のものの他方である溝１３に絶縁ハウジング１１の正面端部側から差し込まれる差込み片部７６Ｂと、絶縁ハウジング１１を上下方向において外側から挟み、絶縁ハウジング１１の相対向する上方外面部及び下方外面部を抑える抑え部７７Ｂとを有していて、その全体が一体形成されている。
【００７７】
そして、補強部材７５Ａは、その差込み片部７６Ａが絶縁ハウジング１１における長手方向の一端部に形成された溝１３に差し込まれてその溝１３により保持されることにより、絶縁ハウジング１１に取り付けられて、その抑え部７７Ａにより絶縁ハウジング１１の上方外面部及び下方外面部を抑えるものとされる。同様に、補強部材７５Ｂも、その差込み片部７６Ｂが絶縁ハウジング１１における長手方向の他端部に形成された溝１３に差し込まれてその溝１３により保持されることにより、絶縁ハウジング１１に取り付けられて、その抑え部７７Ｂにより絶縁ハウジング１１の上方外面部及び下方外面部を抑えるものとされる。
【００７８】
また、絶縁ハウジング１１における長手方向の両端部に夫々配された補強部材７５Ａ及び補強部材７５Ｂは、補強部材７５Ａにおける差込み片部７６Ａと補強部材７５Ｂにおける差込み片部７６Ｂとが夫々有する相互対向面が、絶縁ハウジング１１に板状部材差込み部１２を通じて差し込まれるフレキシブル印刷配線基板４０に対する案内手段の役割を果たすものとされる。それにより、絶縁ハウジング１１に板状部材差込み部１２を通じて差し込まれるフレキシブル印刷配線基板４０は、その両側端面部を補強部材７５Ａにおける差込み片部７６Ａと補強部材７５Ｂにおける差込み片部７６Ｂとが夫々有する相互対向面に夫々接触させつつ絶縁ハウジング１１の内部へと進み、それに設けられた複数の接続端子部が絶縁ハウジング１１内の複数のコンタクト１４に適性に対応するものとなるように位置決めされる。
【００７９】
補強部材７５Ａの抑え部７７Ａにおける絶縁ハウジング１１の下方外面部を抑える部分は、絶縁ハウジング１１が固定されるべき主配線基板に固定されて、絶縁ハウジング１１の主配線基板への固定に供される役割も果たす。同様に、補強部材７５Ｂの抑え部７７Ｂにおける絶縁ハウジング１１の下方外面部を抑える部分も、絶縁ハウジング１１が固定されるべき主配線基板に固定されて、絶縁ハウジング１１の主配線基板への固定に供される役割も果たす。
【００８０】
上述のような本願の第１の発明に係るコネクタ装置の第３の例を成すコネクタ装置７０は、図１１に示されるように、板状部材差込み部１２と配列配置されたＮ＋２個の溝１３とが設けられた絶縁ハウジング１１と、絶縁ハウジング１１における長手方向の両端部に夫々配される一対の補強部材７５Ａ及び７５Ｂと、配列配置されたＮ＋２個の溝１３のうちの両端部のものを除いたＮ個に夫々配されるＮ個のコンタクト１４と、Ｎ個のカム部３１とＮ個の逃がし孔３２とが設けられたアクチュエータ３０とが用意され、それらを用いての組立てが行われて得られるものとなる。
【００８１】
そして、斯かるコネクタ装置７０の組立てにあたっては、先ず、補強部材７５Ａ及び７５Ｂが絶縁ハウジング１１における長手方向の両端部に夫々配される。その際には、補強部材７５Ａにおける差込み片部７６Ａが、配列配置されたＮ＋２個の溝１３のうちの両端部のものの一方である溝１３に絶縁ハウジング１１の正面端部側から差し込まれて、その溝１３により保持されるものとされ、それにより、補強部材７５Ａが絶縁ハウジング１１における長手方向の一端部に取り付けられるとともに、補強部材７５Ｂにおける差込み片部７６Ｂが、配列配置されたＮ＋２個の溝１３のうちの両端部のものの他方である溝１３に絶縁ハウジング１１の正面端部側から差し込まれて、その溝１３により保持されるものとされ、それにより、補強部材７５Ｂが絶縁ハウジング１１における長手方向の他端部に取り付けられる。絶縁ハウジング１１に取り付けられた補強部材７５Ａ及び７５Ｂは、補強部材７５Ａにおける抑え部７７Ａ及び補強部材７５Ｂにおける抑え部７７Ｂの夫々が絶縁ハウジング１１における上方外面部及び下方外面部を外側から押さえる状態をとるもとで、絶縁ハウジング１１を補強する。
【００８２】
次に、Ｎ個のコンタクト１４が、絶縁ハウジング１１にその背面側端部側から圧入され、Ｎ＋２個の溝１３のうちの両端部のものを除いたＮ個に夫々配されて、各々が溝１３によって支持されるものとされる。それにより、Ｎ個のコンタクト１４が絶縁ハウジング１１に配列配置されて設けられることになる。
【００８３】
続いて、アクチュエータ３０が、絶縁ハウジング１１に配列形成されて設けられたＮ個のコンタクト１４に、それらにより絶縁ハウジング１１に対して回動可能に支持されるものとして取り付けられる。その際には、アクチュエータ３０に設けられたＮ個の逃がし孔３２の夫々の、Ｎ個のコンタクト１４のうちの対応するものの一部分が配されるとともに、アクチュエータ３０に設けられたＮ個のカム部３１の夫々が、Ｎ個のコンタクト１４のうちの対応するものにおける固定ビーム部１５の端部１５ｂと可動ビーム部１６の端部１６ｂとに挟まれて保持されるものとされる。その結果、コネクタ装置７０が得られる。
【００８４】
なお、上述の本願の第１の発明に係るコネクタ装置の第３の例にあっては、アクチュエータ３０が備えられているが、アクチュエータ３０は必ず必要というものではなく、第３の例は、アクチュエータ３０を備えないものとして構成され得るものである。第３の例がアクチュエータ３０を備えないものとされる場合には、フレキシブル印刷配線基板が絶縁ハウジング１１に板状部材差込み部１２を通じて差し込まれると、絶縁ハウジング１１に配列配置されて設けられたＮ個のコンタクト１４が、フレキシブル印刷配線基板の一端部分に配列配置されて設けられた複数の接続端子部に自動的に接触接続され、また、フレキシブル印刷配線基板が絶縁ハウジング１１から板状部材差込み部１２を通じて抜脱されると、Ｎ個のコンタクト１４がフレキシブル印刷配線基板の一端部分に設けられた複数の接続端子部に接触接続された状態から解放される。これよりして、本願の第１の発明に係るコネクタ装置は、上述の第３の例に限られることなく、本願の特許請求の範囲に記載された構成要件を備えたもとで他の態様をとることができ、また、本願の第１の発明に係るコネクタ装置にあっては、アクチュエータを備えて構成される場合とアクチュエータを備えることなく構成される場合とがあることになる。
【００８５】
このような本願の第１の発明に係るコネクタ装置の第３の例を成すコネクタ装置７０は、フレキシブル印刷配線基板やフレキシブル平板状ケーブル等とされる配線板状部材の他の電気部品への取付けに用いられるコネクタ装置であって、絶縁ハウジング１１に配列配置されるＮ個のコンタクト１４が絶縁ハウジング１１に板状部材差込み部１２を通じて差し込まれるべき配線板状部材に設けられた接続端子部の個数に応じたものに設定されるもとで、構成の複雑化により造形し難いものとされる部材を必要としない比較的簡単な構成をもって容易に得られるものとなる。
【実施例４】
【００８６】
図１２（斜視図）は、本願の第１の発明に係るコネクタ装置の第４の例を示す。
【００８７】
図１２に示される本願の第１の発明に係るコネクタ装置の第４の例を成すコネクタ装置８０も、その基本的構成を前述のコネクタ装置７０と同じとしており、前述の絶縁ハウジング１１に相当する絶縁ハウジング８１と、前述のコンタクト１４と同様の複数のコンタクト１４と、前述の補強部材７５Ａ及び７５Ｂと同様の補強部材７５Ａ及び７５Ｂと、前述のアクチュエータ３０に相当するアクチュエータ９０とを備えて構成されている。
【００８８】
このコネクタ装置８０も、配線板状部材として、例えば、前述のフレキシブル印刷配線基板４０に設けられた複数の接続端子部の個数より少ない個数の接続端子部が設けられたフレキシブル印刷配線基板が、絶縁ハウジング８１にそれに設けられた板状部材差込み部１２を通じて差し込まれるものとされている。そのため、絶縁ハウジング８１に配列配置されて設けられる複数のコンタクト１４の個数が、Ｎ個より少数の個数、例えば、２個とされ、それに伴って、絶縁ハウジング８１に配列配置されて設けられる複数の溝１３の個数が、Ｎ＋２個より少数の個数、例えば、４個とされている。また、アクチュエータ９０に設けられる複数のカム部３１の個数及び複数の逃がし孔３２の個数の夫々も、Ｎ個より少数の個数、例えば、４個とされている。
【００８９】
斯かるコネクタ装置８０を構成する絶縁ハウジング８１，２個のコンタクト１４，補強部材７５Ａ及び７５Ｂ及びアクチュエータ９０の相互係合状態や役割等は、前述のコネクタ装置７０を構成する絶縁ハウジング１１，Ｎ個のコンタクト１４，補強部材７５Ａ及び７５Ｂ及びアクチュエータ３０の場合と同様である。
【００９０】
なお、上述の本願の第１の発明に係るコネクタ装置の第４の例にあっては、アクチュエータ９０が備えられているが、アクチュエータ９０は必ず必要というものではなく、第４の例は、アクチュエータ９０を備えないものとして構成され得るものである。第４の例がアクチュエータ９０を備えないものとされる場合には、フレキシブル印刷配線基板が絶縁ハウジング８１に板状部材差込み部１２を通じて差し込まれると、絶縁ハウジング８１に配列配置されて設けられた２個のコンタクト１４が、フレキシブル印刷配線基板の一端部分に配列配置されて設けられた複数の接続端子部に自動的に接触接続され、また、フレキシブル印刷配線基板が絶縁ハウジング８１から板状部材差込み部１２を通じて抜脱されると、２個のコンタクト１４がフレキシブル印刷配線基板の一端部分に設けられた複数の接続端子部に接触接続された状態から解放される。これよりして、本願の第１の発明に係るコネクタ装置は、上述の第４の例に限られることなく、本願の特許請求の範囲に記載された構成要件を備えたもとで他の態様をとることができ、また、本願の第１の発明に係るコネクタ装置にあっては、アクチュエータを備えて構成される場合とアクチュエータを備えることなく構成される場合とがあることになる。
【００９１】
このような本願の第１の発明に係るコネクタ装置の第４の例を成すコネクタ装置８０は、フレキシブル印刷配線基板やフレキシブル平板状ケーブル等とされる配線板状部材の他の電気部品への取付けに用いられるコネクタ装置であって、絶縁ハウジング８１に配列配置される２個のコンタクト１４が絶縁ハウジング８１に板状部材差込み部１２を通じて差し込まれるべき配線板状部材に設けられた接続端子部の個数に応じたものに設定されるもとで、構成の複雑化により造形し難いものとされる部材を必要としない比較的簡単な構成をもって容易に得られるものとなる。
【００９２】
そして、本願の第１の発明に係るコネクタ装置の第４の例を成すコネクタ装置８０は、例えば、本願の第２の発明または本願の第３の発明に係るコネクタ装置の製造方法の一例が実施されて製造される。
【００９３】
本願の第２の発明に係るコネクタ装置の製造方法の一例が実施される際には、図１３に示されるように、先ず、配線板状部材が差し込まれる板状部材差込み部１２が設けられるとともに、板状部材差込み部１２を形成する部分に各々が配線板状部材の差込み方向に沿って伸びる複数の溝１３が、配線板状部材の差込み方向に直交する方向に配列配置されて設けられた、前述の絶縁ハウジング１１に相当する絶縁ハウジング１１’に、互いに同一の形状を有する板状部材を成すものとされた補強部材７５Ａと補強部材７５Ｂとを、複数個づつ、複数の溝１３の配列方向に沿って交互に取り付ける。
【００９４】
その際、複数の補強部材７５Ａの夫々については、それにおける差込み片部７６Ａを溝１３に差し込んでその溝１３により保持される状態として絶縁ハウジング１１’に取り付け、それにおける抑え部７７Ａが絶縁ハウジング１１’における相互に対向する上方外面部及び下方外面部を外側から抑えるものとなし、また、複数の補強部材７５Ｂの夫々についても、それにおける差込み片部７６Ｂを溝１３に差し込んでその溝１３により保持される状態として絶縁ハウジング１１’に取り付け、それにおける抑え部７７Ｂが絶縁ハウジング１１’における相互に対向する上方外面部及び下方外面部を外側から抑えるものとなして、隣り合う補強部材７５Ａと補強部材７５Ｂとの間に２個の溝１３が配されるようにする。それにより、図１３に示されるような、複数の組を成す補強部材７５Ａと補強部材７５Ｂとが取り付けられた絶縁ハウジング１１’を得る。
【００９５】
その後、複数の組を成す補強部材７５Ａと補強部材７５Ｂとが取り付けられた絶縁ハウジング１１’を、図１３に示される切断線Ｘ１−Ｘ１及び切断線Ｘ２−Ｘ２の夫々に沿って切断し、それにより、２個の溝１３の配列方向の両端部に補強部材７５Ａ及び７５Ｂが夫々配されたもの、即ち、２個の溝１３が補強部材７５Ａと補強部材７５Ｂとによって挟まれたものとされて、補強部材７５Ａ及び補強部材７５Ｂにより補強された小規模絶縁ハウジングとされる絶縁ハウジング８１を、複数個得る。図１３に示される例の場合には、２個の溝１３が補強部材７５Ａと補強部材７５Ｂとによって挟まれたものとされて、補強部材７５Ａ及び補強部材７５Ｂにより補強された絶縁ハウジング８１が３個得られる。
【００９６】
さらにその後、３個の絶縁ハウジング８１の夫々について、２個の溝１３に図１３に示される３組の一つを成す２個のコンタクト１４を夫々配し、２個のコンタクト１４を２個の溝１３により夫々支持されて、絶縁ハウジング８１に配列配置されて配されたものとする。
【００９７】
続いて、図１３に示される、配列配置された複数のカム部３１と配列配置された複数の逃がし孔３２とが設けられた、前述のアクチュエータ３０に相当するアクチュエータ３０’が、図１３に示される切断線Ｙ１−Ｙ１及び切断線Ｙ２−Ｙ２の夫々に沿って切断されることにより得られる、４個のカム部３１と４個の逃がし孔３２とが設けられた小規模アクチュエータとされるアクチュエータ９０を、それにおける２個のカム部３１を絶縁ハウジング８１に配列配置された２個のコンタクト１４に夫々係合させて、その全体が２個のコンタクト１４により支持されるものとする。このようにして、２個のコンタクト１４により支持されたアクチュエータ９０は、絶縁ハウジング８１に対して回動可能とされる。
【００９８】
その結果、４個の溝１３が配列配置されて設けられた絶縁ハウジング８１と、絶縁ハウジング８１における４個の溝１３の配列方向の両端部に夫々配された補強部材７５Ａ及び７５Ｂと、４個の溝１３のうちの両端部の２個を除いた残りの２個に夫々配された２個のコンタクト１４と、２個のコンタクト１４によって絶縁ハウジング８１に対して回動可能に支持されたアクチュエータ９０とを備えて構成されるコネクタ装置８０が製造される。
【００９９】
なお、本願の第１の発明に係るコネクタ装置の第４の例が、アクチュエータ９０を備えないものとして構成される場合には、本願の第２の発明に係るコネクタ装置の製造方法の一例を実施してコネクタ装置８０を製造するにあたり、アクチュエータ９０をその全体が２個のコンタクト１４により支持されるものとすることは不要とされる。これよりして、本願の第２の発明に係るコネクタ装置の製造方法にあっては、アクチュエータをその全体が複数のコンタクトにより支持されるものとする手順を含む場合と含まない場合とがあることになり、斯かる本願の第２の発明に係るコネクタ装置の製造方法によれば、絶縁ハウジングに板状部材差込み部を通じて差し込まれるべき配線板状部材に応じて、基本的な構成を共通にするもとで絶縁ハウジングに配列配置されるコンタクトの個数を所定数とするコネクタ装置及び所定数より多数または少数とするコネクタ装置のいずれをも、作業性の悪い煩わしい作業を要することなく容易に得ることができる。
【０１００】
また、本願の第３の発明に係るコネクタ装置の製造方法の一例が実施される際には、同じく図１３に示されるように、先ず、配線板状部材が差し込まれる板状部材差込み部１２が設けられるとともに、板状部材差込み部１２を形成する部分に各々が配線板状部材の差込み方向に沿って伸びる複数の溝１３が、配線板状部材の差込み方向に直交する方向に配列配置されて設けられた、前述の絶縁ハウジング１１に相当する絶縁ハウジング１１’に、互いに同一の形状を有する板状部材を成すものとされた補強部材７５Ａと補強部材７５Ｂとを、複数個づつ、複数の溝１３の配列方向に沿って交互に取り付ける。
【０１０１】
その際、複数の補強部材７５Ａの夫々については、それにおける差込み片部７６Ａを溝１３に差し込んでその溝１３により保持される状態として絶縁ハウジング１１’に取り付け、それにおける抑え部７７Ａが絶縁ハウジング１１’における相互に対向する上方外面部及び下方外面部を外側から抑えるものとなし、また、複数の補強部材７５Ｂの夫々についても、それにおける差込み片部７６Ｂを溝１３に差し込んでその溝１３により保持される状態として絶縁ハウジング１１’に取り付け、それにおける抑え部７７Ｂが絶縁ハウジング１１’における相互に対向する上方外面部及び下方外面部を外側から抑えるものとなして、隣り合う補強部材７５Ａと補強部材７５Ｂとの間に２個の溝１３が配されるようにする。それにより、図１３に示されるような、複数の組を成す補強部材７５Ａと補強部材７５Ｂとが取り付けられた絶縁ハウジング１１’を得る。
【０１０２】
その後、絶縁ハウジング１１’における補強部材７５Ａと補強部材７５Ｂとに挟まれて配列された２個の溝１３の組の夫々に図１３に示される３組の一つを成す２個のコンタクト１４を夫々配し、２個のコンタクト１４を２個の溝１３により夫々支持されて、絶縁ハウジング１１’に配列配置されて配されたものとする。
【０１０３】
さらにその後、複数の組を成す補強部材７５Ａ及び補強部材７５Ｂが取り付けられるとともに、各々が補強部材７５Ａと補強部材７５Ｂとに挟まれて配列された２個の溝１３の夫々により支持された複数のコンタクト１４が配列配置された絶縁ハウジング１１’を、図１３に示される切断線Ｘ１−Ｘ１及び切断線Ｘ２−Ｘ２の夫々に沿って切断し、それにより、各々がコンタクト１４を支持した２個の溝１３の配列方向の両端部に補強部材７５Ａ及び７５Ｂが夫々配されたもの、即ち、各々がコンタクト１４を支持した２個の溝１３が補強部材７５Ａと補強部材７５Ｂとによって挟まれたものとされて、補強部材７５Ａ及び補強部材７５Ｂにより補強された小規模絶縁ハウジングとされる絶縁ハウジング８１を、複数個得る。図１３に示される例の場合には、各々がコンタクト１４を支持した２個の溝１３が補強部材７５Ａと補強部材７５Ｂとによって挟まれたものとされて、補強部材７５Ａ及び補強部材７５Ｂにより補強された絶縁ハウジング８１が３個得られる。
【０１０４】
続いて、図１３に示される、配列配置された複数のカム部３１と配列配置された複数の逃がし孔３２とが設けられた、前述のアクチュエータ３０に相当するアクチュエータ３０’が、図１３に示される切断線Ｙ１−Ｙ１及び切断線Ｙ２−Ｙ２の夫々に沿って切断されることにより得られる、４個のカム部３１と４個の逃がし孔３２とが設けられた小規模アクチュエータとされるアクチュエータ９０を、それにおける２個のカム部３１を絶縁ハウジング８１に配列配置された２個のコンタクト１４に夫々係合させて、その全体が２個のコンタクト１４により支持されるものとする。このようにして、２個のコンタクト１４により支持されたアクチュエータ９０は、絶縁ハウジング８１に対して回動可能とされる。
【０１０５】
その結果、４個の溝１３が配列配置されて設けられた絶縁ハウジング８１と、絶縁ハウジング８１における４個の溝１３の配列方向の両端部に夫々配された補強部材７５Ａ及び７５Ｂと、４個の溝１３のうちの両端部の２個を除いた残りの２個に夫々配された２個のコンタクト１４と、２個のコンタクト１４によって絶縁ハウジング８１に対して回動可能に支持されたアクチュエータ９０とを備えて構成されるコネクタ装置８０が製造される。
【０１０６】
なお、本願の第１の発明に係るコネクタ装置の第４の例が、アクチュエータ９０を備えないものとして構成される場合には、本願の第３の発明に係るコネクタ装置の製造方法の一例を実施してコネクタ装置８０を製造するにあたり、アクチュエータ９０をその全体が２個のコンタクト１４により支持されるものとすることは不要とされる。これよりして、本願の第３の発明に係るコネクタ装置の製造方法にあっても、アクチュエータをその全体が複数のコンタクトにより支持されるものとする手順を含む場合と含まない場合とがあることになり、斯かる本願の第３の発明に係るコネクタ装置の製造方法によれば、絶縁ハウジングに板状部材差込み部を通じて差し込まれるべき配線板状部材に応じて、基本的な構成を共通にするもとで絶縁ハウジングに配列配置されるコンタクトの個数を所定数とするコネクタ装置及び所定数より多数または少数とするコネクタ装置のいずれをも、作業性の悪い煩わしい作業を要することなく容易に得ることができる。
【産業上の利用可能性】
【０１０７】
以上のような本願の第１の発明に係るコネクタ装置及び本願の第２の発明または本願の第３の発明に係るコネクタ装置の製造方法の夫々は、フレキシブル印刷配線基板等の配線板状部材の電子機器の主配線基板等への取付けに用いられる、板状部材差込み部が設けられた絶縁ハウジングと、絶縁ハウジング内に配された複数のコンタクトとを備え、さらに、必要に応じて、絶縁ハウジングに対して回動可能とされるアクチュエータをも備えたコネクタ装置であって、構成の複雑化により造形し難いものとされる部材を必要としない比較的簡単な構成をもって容易に得られるもの、あるいは、それを作業性の悪い煩わしい作業を要することなく容易に得ることができるものとして、様々な電子機器あるいは電子部品製造等の分野において広く利用され得るものである。
【符号の説明】
【０１０８】
１０，５０，７０，８０・・・コネクタ装置，  １１，１１’，５１，８１・・・絶縁ハウジング，  １２・・・板状部材差込み部，  １３・・・溝，  １４・・・コンタクト，  １５・・・固定ビーム部，  １６・・・可動ビーム部，  １７・・・連結支柱部，  ２０Ａ，２０Ｂ，７５Ａ，７５Ｂ・・・補強部材，  ２１Ａ，２１Ｂ，７６Ａ，７６Ｂ・・・差込み片部，  ２２Ａ，２２Ｂ，７７Ａ，７７Ｂ・・・抑え部，  ２３Ａ，２３Ｂ・・・連結部，  ３０，３０’，６０，９０・・・アクチュエータ，  ３１・・・カム部，  ３２・・・逃がし孔
【図１】
0005585838.tif 000002
【図２】
0005585838.tif 000003
【図３】
0005585838.tif 000004
【図４】
0005585838.tif 000005
【図５】
0005585838.tif 000006
【図６】
0005585838.tif 000007
【図７】
0005585838.tif 000008
【図８】
0005585838.tif 000009
【図９】
0005585838.tif 000010
【図１０】
0005585838.tif 000011
【図１１】
0005585838.tif 000012
【図１２】
0005585838.tif 000013
【図１３】
0005585838.tif 000014